(57)【要約】【課題】無作為にカプセルを一個宛確実にスムーズに取出せ、サイズの異なるカプセルにも対応でき、手指によって掴み易く、構成簡素で、量産に適し、低廉で、取扱い易いカプセル用簡易取出し装置を提供する。【解決手段】外装箱Ａとスロープ基盤Ｂと引出しボックスＣとからなり、スロープ基盤Ｂは、カプセル落下用開口部１０と、ホルダー部に着脱自在に装着するゲート用プレート１５とを備え、引出しボックスＣは、摘み２１とポケット空間２２とを備え、引出しボックスＣの後方への摺動で、カプセル落下用開口部１０内にポケット空間２２が露出し、一個のカプセルをポケット空間２２内に収容し、引出しボックスＣの前方への摺動で、ポケット空間２２内の一個のカプセルのみがゲート用プレート１５部分を通過できるよう形成し、この一個のカプセルを外装箱Ａ外に取出せるよう構成する。【選択図】図１
0003155311.tif 000002
【実用新案登録請求の範囲】
【請求項１】
玩具や抽選券等の収納物を夫々収納してなる多数のカプセルを用意し、この多数のカプセルを収納しておけると共に、無作為に一個宛取出せるように構成したカプセル用簡易取出し装置であって、段ボール材や紙材によって組立てられる外装箱と、この外装箱内の中段部に装着される合成樹脂製のスロープ基盤と、このスロープ基盤の下方に装着できるように形成されると共に、前後方向に摺動自在となるように形成される合成樹脂製の引出しボックスとからなり、前記スロープ基盤は、その平面中央に形成されるカプセル落下用開口部と、このカプセル落下用開口部の前端縁部分に設けたホルダー部に着脱自在に装着されるゲート用プレートとを備え、前記引出しボックスは、基体の前面に設けられる摘みと、基体の前端寄りに設けられると共に、一個のカプセルは確実に収容できるように形成したポケット空間とを備え、摘みを手指で掴んで引出しボックスを後方に摺動せしめると、カプセル落下用開口部内にポケット空間が露出して、一個のカプセルがポケット空間内に収容されるように形成し、この引出しボックスを前方に摺動せしめると、ポケット空間内の一個のカプセルのみがゲート用プレート部分を通過できるように形成し、このゲート用プレート部分を通過した一個のカプセルを外装箱外に取出せるように構成したことを特徴とするカプセル用簡易取出し装置。
【請求項２】
スロープ基盤下面に一対のガイドピンを下方に向って突設し、引出しボックス上面に、前記一対のガイドピンに対して前後方向に摺動可能となるような一対のガイド溝を凹設し、引出しボックス内後部に音発生器用保持部を形成し、この音発生器用保持部で保持される音発生器は、引出しボックスの前方への摺動時に他方のガイドピンに当接することにより作動して、音声や音楽を発せられるように構成したことを特徴とする請求項１記載のカプセル用簡易取出し装置。
【考案の詳細な説明】
【技術分野】
【０００１】
本考案は、例えば、各種イベント会場に於けるプレゼントや抽選会や、各種飲食店や商店に於けるプレゼントを行う際に使用されるもので、玩具や抽選券等を夫々収納した多数のカプセルを収納しておけると共に、これらを無作為に一個宛取出せるようにしたカプセル用簡易取出し装置に係り、特に、簡易な構成であるにもかかわらず、カプセルを一個宛確実に且つスムーズに取出すことが可能で、しかも、取扱い易く、興趣に富むカプセル用簡易取出し装置に関するものである。
【背景技術】
【０００２】
従来、この種のカプセル用簡易取出し装置としては、例えば、特許文献１に示すような景品簡易供給ボックスが提案されている。
これは、景品を収容し供給する簡易供給ボックスであって、前記ボックスは、ボックス本体の一面に景品排出口とその前に位置する景品取出し部と前後に移動可能な引出し部用の開口部とを設け、上面には景品を収容させるための開放蓋を設けてあり、前記ボックス内側には、景品を載置し、前記引出し部の移動により景品を一個毎に抜き出し口より下方に落下させる台座本体を設置すると共に、該台座本体は斜面部を有する躯体上方に前記引出し部を載置する第１台座及び第２台座とを開口部を介して固定し、さらに躯体上端部には斜めに延設する台座傾斜部と本体上部を被覆する一方で、景品を下方に落下させる開口部とを有する上蓋部と、背部押え板とから構成されたものである。
【先行技術文献】
【特許文献】
【０００３】
【特許文献１】実用新案登録第３１１３８５６号公報
【考案の概要】
【考案が解決しようとする課題】
【０００４】
ところで、前述の如き景品簡易供給ボックスにあっては、引出し部の景品抜き出し孔が、台座本体の開口部上に移動したときに景品が下方に落下するような構成となっているために、一個の景品が落下した後、引出し部を瞬時に引き戻さないと、景品抜き出し孔と台座本体の開口部とを介して景品が複数落下してしまう虞があった。しかも、一個の景品だけ落下させるタイミングの取り方が難しいものとなっていた。
【０００５】
そこで、本考案は、カプセルを一個宛確実に且つスムーズに取出すことが可能となり、しかも、構成が簡素で、量産に適し、低廉で、取扱い易く、更に、興趣に富むようなカプセル用簡易取出し装置を提供できるようにすべく案出されたものである。
【課題を解決するための手段】
【０００６】
しかして、前述の如き課題等を達成すべく、請求項１記載のカプセル用簡易取出し装置にあっては、玩具や抽選券等の収納物を夫々収納してなる多数のカプセルを用意し、この多数のカプセルを収納しておけると共に、無作為に一個宛取出せるように構成したカプセル用簡易取出し装置であって、段ボール材や紙材によって組立てられる外装箱Ａと、この外装箱Ａ内の中段部に装着される合成樹脂製のスロープ基盤Ｂと、このスロープ基盤Ｂの下方に装着できるように形成されると共に、前後方向に摺動自在となるように形成される合成樹脂製の引出しボックスＣとからなり、前記スロープ基盤Ｂは、その平面中央に形成されるカプセル落下用開口部１０と、このカプセル落下用開口部１０の前端縁部分に設けたホルダー部に着脱自在に装着されるゲート用プレート１５とを備え、前記引出しボックスＣは、基体２０の前面に設けられる摘み２１と、基体２０の前端寄りに設けられると共に、一個のカプセルは確実に収容できるように形成したポケット空間２２とを備え、摘み２１を手指で掴んで引出しボックスＣを後方に摺動せしめると、カプセル落下用開口部１０内にポケット空間２２が露出して、一個のカプセルがポケット空間２２内に収容されるように形成し、この引出しボックスＣを前方に摺動せしめると、ポケット空間２２内の一個のカプセルのみがゲート用プレート１５部分を通過できるように形成し、このゲート用プレート１５部分を通過した一個のカプセルを外装箱Ａ外に取出せるように構成する手段を採用した。
【０００７】
また、請求項２記載のカプセル用簡易取出し装置にあっては、スロープ基盤Ｂ下面に一対のガイドピン１２、１３を下方に向って突設し、引出しボックスＣ上面に、前記一対のガイドピン１２、１３に対して前後方向に摺動可能となるような一対のガイド溝２３、２４を凹設し、引出しボックスＣ内後部に音発生器用保持部２７を形成し、この音発生器用保持部２７で保持される音発生器Ｄは、引出しボックスＣの前方への摺動時に他方のガイドピン１３に当接することにより作動して、音声や音楽を発せられるように構成する手段を採用した。
【考案の効果】
【０００８】
従って、本考案の請求項１記載のカプセル用簡易取出し装置によれば、玩具や抽選券等を夫々収納した多数のカプセルを外装箱Ａ内に収納しておけると共に、無作為にカプセルを一個宛確実に且つスムーズに取出すことが可能となる。しかも、構成が簡素で、量産に適し、低廉で、取扱い易いものとなる。
すなわち、各種イベント会場に於けるプレゼントや抽選会や、各種飲食店や商店に於けるプレゼントを行う際に最適なカプセル用簡易取出し装置となる。
【０００９】
特に、スロープ基盤Ｂは、その平面中央に形成されるカプセル落下用開口部１０と、このカプセル落下用開口部１０の前端縁部分に設けたホルダー部に着脱自在に装着されるゲート用プレート１５とを備え、引出しボックスＣを前方に摺動せしめると、ポケット空間２２内の一個のカプセルのみがゲート用プレート１５部分を通過できるように形成したので、一回の動作で複数のカプセルが出てくる虞がなく、カプセルを一個宛確実に且つスムーズに取出すことが可能となる。しかも、ゲート用プレート１５の取付け向きを変えたり、或いは寸法の異なるゲート用プレート１５に互換装着すること等によって、サイズの異なるカプセルに対応してこれらを一個宛確実に取出せるようにもなる。
【００１０】
加えて、前記引出しボックスＣは、基体２０の前面に設けられる摘み２１を備えているので、手指によって摘み２１を掴み易くなり、引出しボックスＣの摺動操作が行い易くなる。
【００１１】
また、本考案の請求項２記載のカプセル用簡易取出し装置によれば、スロープ基盤Ｂ下面に一対のガイドピン１２、１３を下方に向って突設し、引出しボックスＣ上面に、前記一対のガイドピン１２、１３に対して前後方向に摺動可能となるような一対のガイド溝２３、２４を凹設したので、引出しボックスＣがガイドピン１２、１３とガイド溝２３、２４によって正確に且つスムーズに前後方向に摺動できるようになる。しかも、一対のガイドピン１２、１３の先端面部分が一対のガイド溝２３、２４の底壁部分を摺動するように形成することにより、引出しボックスＣの上方への移動も規制できるようになる。
【００１２】
更に、引出しボックスＣ内後部に音発生器用保持部２７を形成し、この音発生器用保持部２７で保持される音発生器Ｄは、引出しボックスＣの前方への摺動時に他方のガイドピン１３に当接することにより作動して、音声や音楽を発せられるように構成したので、カプセルを取出す際に、音声や音楽が確実に発せられるようになり、より興趣に富むものとなる。
【図面の簡単な説明】
【００１３】
【図１】本考案のカプセル用簡易取出し装置を例示する分解斜視図である。
【図２】本考案のカプセル用簡易取出し装置を例示する縦断側面図である。
【図３】本考案のカプセル用簡易取出し装置を例示する縦断側面図である。
【図４】本考案のカプセル用簡易取出し装置を例示する横断平面図である。
【図５】本考案のカプセル用簡易取出し装置を例示する縦断背面図である。
【図６】本考案の他のカプセル用簡易取出し装置を例示する斜視図である。
【図７】本考案の他のカプセル用簡易取出し装置を例示する縦断側面図である。
【図８】本考案の他のカプセル用簡易取出し装置を例示する縦断側面図である。
【図９】本考案の他のカプセル用簡易取出し装置を例示する横断平面図である。
【考案を実施するための形態】
【００１４】
以下、本考案を図示例に基づいて説明すると、次の通りである。
本考案は、各種イベント会場に於けるプレゼントや抽選会や、各種飲食店や商店に於けるプレゼントを行う際に使用されるもので、玩具や抽選券等を夫々収納した多数のカプセルを収納しておけると共に、これらを無作為に一個宛取出せるようにしたカプセル用簡易取出し装置に係るものである。
具体的には、段ボール材や紙材によって組立てられる外装箱Ａと、この外装箱Ａ内の中段部に装着される合成樹脂製のスロープ基盤Ｂと、このスロープ基盤Ｂの下方に装着できるように形成されると共に、前後方向に摺動自在となるように形成される合成樹脂製の引出しボックスＣとからなっている。
そして、前記スロープ基盤Ｂは、その平面中央に形成されるカプセル落下用開口部１０と、このカプセル落下用開口部１０の前端縁部分に設けたホルダー部に着脱自在に装着されるゲート用プレート１５とを備えている。
更に、前記引出しボックスＣは、基体２０の前面に設けられる摘み２１と、基体２０の前端寄りに設けられると共に、一個のカプセルは確実に収容できるように形成したポケット空間２２とを備えている。
また、摘み２１を手指で掴んで引出しボックスＣを後方に摺動せしめると、カプセル落下用開口部１０内にポケット空間２２が露出して、一個のカプセルがポケット空間２２内に収容されるように形成し、この引出しボックスＣを前方に摺動せしめると、ポケット空間２２内の一個のカプセルのみがゲート用プレート１５部分を通過できるように形成し、このゲート用プレート１５部分を通過した一個のカプセルを外装箱Ａ外に取出せるように構成されている。
加えて、スロープ基盤Ｂ下面に一対のガイドピン１２、１３を下方に向って突設し、引出しボックスＣ上面に、前記一対のガイドピン１２、１３に対して前後方向に摺動可能となるような一対のガイド溝２３、２４を凹設し、引出しボックスＣ内後部に音発生器用保持部２７を形成し、この音発生器用保持部２７で保持される音発生器Ｄは、引出しボックスＣの前方への摺動時に他方のガイドピン１３に当接することにより作動して、音声や音楽を発せられるように構成されている。
【実施例】
【００１５】
図１乃至図５に示すカプセル用簡易取出し装置の外装箱Ａは、例えば、段ボール材や紙材（或いは、合成樹脂製の段ボール材やシート材でも良い）によって簡単に且つ堅牢に組立てできるように構成されており、正面壁部と、左右側壁部と、背面壁部と、底壁部と、天壁部とを有している。
そして、正面壁部の中央部分には、引出しボックスＣが摺動自在となるように形成されるボックス用開口部１が設けられ、正面壁部の下段部分には、ボックス用開口部１に連続するようなカプセル受部３用の幅広開口部が設けられている。
また、左右側壁部や背面壁部には、スロープ基盤Ｂの掛止フック１１が掛止可能となるような基盤用掛止孔２が夫々形成されている。
更に、底壁部の前部には、カプセル受部３が形成され、底壁部の中央部分にはボックス受部４が形成されている。
そして、天壁部は、外装箱Ａの上部開口部分を自在に開閉できる蓋部となり、玩具や抽選券等を夫々収納した多数のカプセルを外装箱Ａ内に収納する際に利用される。
【００１６】
前記ボックス用開口部１は、引出しボックスＣの形状、寸法に応じて形成され、しかも、その開口部周縁部分は適宜補強材によって補強されている。
【００１７】
前記基盤用掛止孔２は、スロープ基盤Ｂの掛止フック１１が簡単に且つ確実に掛止できるように形成されている。しかも、掛止フック１１が掛止された状態に於いて、掛止フック１１が僅かでも上方に移動しないように構成したものが好ましい。
【００１８】
前記カプセル受部３は、正面壁部より前方に張り出すように形成され、引出しボックスＣの操作によって無作為に選ばれて転がってくるカプセルを正面壁部より前方に止めておけると共に、カプセルを掴み易くなるように構成されている。
【００１９】
前記ボックス受部４は、その上面によって引出しボックスＣを安定的に且つ摺動自在に支えられるように設けられたものである。また、そのボックス受部４の前部には、適宜傾斜面が設けられており、引出しボックスＣの操作によって無作為に選ばれて落ちてくるカプセルがカプセル受部３がわに転がるように形成されている。
【００２０】
ところで、左右側壁部には、適宜首吊下げ紐の取付け孔を設けておき、カプセル用簡易取出し装置を首から吊下げられるようにしても良い。
【００２１】
図１乃至図５に示すカプセル用簡易取出し装置のスロープ基盤Ｂは、例えば、適宜合成樹脂材によって形成され、外装箱Ａ内の中段部に装着されて、外装箱Ａ内を上下に区画すると共に、外装箱Ａ内上部に多数のカプセルを収納できるように形成されている。
そして、スロープ基盤Ｂの平面中央部分には矩形状のカプセル落下用開口部１０が設けられており、このカプセル落下用開口部１０に向ってカプセルが滑り落ちてくるように全体を傾斜させてある。
【００２２】
また、スロープ基盤Ｂの左右側端縁と後端縁には、基盤用掛止孔２に掛止可能となるような横向きＬ字状の掛止フック１１が夫々突設されており、スロープ基盤Ｂを外装箱Ａに簡単に且つ安定的に装着できるように構成されている。しかも、スロープ基盤Ｂの装着により外装箱Ａ全体の強度や堅牢性も増すようになる。
【００２３】
更に、スロープ基盤Ｂの下面には、一対の細長円柱状のガイドピン１２、１３が下方に向って突設してあり、一方のガイドピン１２は比較的短く、他方のガイドピン１３は長く形成してある。尚、これら一対のガイドピン１２、１３は、引出しボックスＣの一対のガイド溝２３、２４に夫々収まるように形成され、引出しボックスＣが前後方向にのみスムーズに摺動できるように形成してある。
【００２４】
加えて、スロープ基盤Ｂの後部には、カプセル落下用開口部１０に連続するような細長状の撹拌棒用移動溝１４が設けられ、引出しボックスＣの一方の撹拌棒２５がスムーズ移動できるように形成されている。
【００２５】
それから、スロープ基盤Ｂのカプセル落下用開口部１０の前端縁部分の左右下部には、ホルダー部が夫々形成されており、この左右のホルダー部によってゲート用プレート１５が着脱自在に装着できるよう形成されている。
このゲート用プレート１５は、例えば、合成樹脂製の板材によって構成され、下端縁部分が直線状に形成され、上端縁部分が円弧状に凹設されている。すなわち、小さいカプセル（例えば、４５ｍｍ）を使用するときと、大きいカプセル（例えば、５５ｍｍ）を使用するときとで、使い分けができるように形成されている。具体的には、小さいカプセル（例えば、４５ｍｍ）を使用するときには、直線状部分を下にしてゲート用プレート１５をホルダー部に装着し、大きいカプセル（例えば、５５ｍｍ）を使用するときには、円弧状部分を下にしてゲート用プレート１５をホルダー部に装着し、引出しボックスＣのポケット空間２２内に収容された一個のカプセルのみがゲート部分を通過できるように構成したある。
尚、ゲート用プレート１５は、異なる寸法のものをホルダー部に互換装着して使い分けるようにしても良いし、或いは、ゲート用プレート１５の着脱（装着状態と非装着状態）によって使い分けられるように形成しても良い。
【００２６】
図中１６は、スロープ基盤Ｂの前部中央に溝形状に設けた切込線で、この切込線１６は、後述する他の実施例の外装箱Ａを用いるときに、スロープ基盤Ｂの中央前部を切離して用いられるように設けられたものである。
【００２７】
図１乃至図５に示すカプセル用簡易取出し装置の引出しボックスＣは、例えば、適宜合成樹脂材によって形成され、外装箱Ａのボックス受部４とスロープ基盤Ｂとの間に挟まれて前後方向にのみ摺動するように装着されている。
そして、前記引出しボックスＣは、基体２０の前面に摘み２１を設け、基体２０の前端寄りにポケット空間２２を設け、基体２０の上面左右に一対のガイド溝２３、２４を凹設し、基体２０の後部上面とポケット空間２２近傍に撹拌棒２５、２６を突設し、基体２０内後部に音発生器用保持部２７を設けて構成されている。
【００２８】
前記基体２０は、前後方向に長い直方体状に形成され、外装箱Ａのボックス用開口部１に収まるように形成されている。
【００２９】
前記摘み２１は、例えば、円盤状を呈し、基体２０の正面に固定されると共に、基体２０の正面から前方に突出するように形成されている。すなわち、手指で掴み易く、引出しボックスＣをボックス用開口部１奥方に摺動させ易くすると共に、ボックス用開口部１奥方から引き戻し易くなるように形成されている。
【００３０】
前記ポケット空間２２は、例えば、その上下方向が開口されており、一個のカプセルがスムーズに収容できるように比較的大きく形成されているが、二個以上のカプセルを同時に収容できないように形成されている。すなわち、一個のカプセルがポケット空間２２に収容されている状態のときに、他のカプセルの一部（半分より少ない）がポケット空間２２内に侵入できるように形成してあり、この他のカプセルは、引出しボックスＣが前方に摺動する際に、ゲート用プレート１５によってポケット空間２２外に押し出されるようになる。
【００３１】
前記一対のガイド溝２３、２４は、前記一対のガイドピン１２、１３が夫々摺動自在となるように収まり、引出しボックスＣが左右にブレることなく、前後方向にのみスムーズに摺動できるように設けられたものである。
尚、一方のガイド溝２３は、一方のガイドピン１２に合せて浅く形成され、他方のガイド溝２４は、他方のガイドピン１３に合せて深く形成され、しかも、他方のガイド溝２４の後半部分は、他方のガイドピン１３が引出しボックスＣ内に露出して、音発生器用保持部２７にセットされた音発生器Ｄのスイッチ部分を、他方のガイドピン１３で押圧できるように形成されている。
【００３２】
前記撹拌棒２５、２６は、外装箱Ａ内の多数のカプセルを移動させて、スロープ基盤Ｂのカプセル落下用開口部１０部分にカプセルが確実に且つスムーズに集まるように形成されており、一方の撹拌棒２５は、例えば、適宜屈曲状態に形成され、他方の撹拌棒２６は、例えば、直立状態に形成されている。
【００３３】
前記音発生器用保持部２７は、音発生器Ｄを引出しボックスＣ内後部に着脱自在に保持できるように構成されている。
【００３４】
また、音発生器用保持部２７で保持される音発生器Ｄは、引出しボックスＣの前方への摺動時に他方のガイドピン１３に一度当接することにより作動し、適宜音声や音楽を一定時間発せられるように構成されている。
【００３５】
しかして、多数のカプセルを外装箱Ａ内上部に収納しておき、引出しボックスＣを後方に摺動させると、ポケット空間２２がカプセル落下用開口部１０下方に移動して、一個のカプセルがカプセル落下用開口部１０を通過してポケット空間２２内に収まる（図３参照）。
それから、引出しボックスＣを前方に摺動させると、ポケット空間２２内のカプセルはゲート用プレート１５下方を通過する。このとき、ポケット空間２２上部に一部が侵入しているような他のカプセルはゲート用プレート１５によってポケット空間２２内から押し出されるようになる。
そして、引出しボックスＣが前方に移動すると、ポケット空間２２内のカプセルは、下方に移動してカプセル受部３に移動し（図２参照）、これを掴んで取出す。
【００３６】
また、図６乃至図９に示すカプセル用簡易取出し装置の外装箱Ａは、その正面壁部の中央部分を凹設せしめて正面凹部空間５を形成したもので、正面壁部の中央奥壁下部には、引出しボックスＣが摺動自在となるように形成されるボックス用開口部１が設けられている（図６参照）。
尚、この外装箱Ａには、ボックス用開口部１に連続するような前記幅広開口部や、前記カプセル受部３や、前記ボックス受部４は設けられておらず、外装箱Ａの底壁部がボックス受部４となる。
【００３７】
更に、図６乃至図９に示すカプセル用簡易取出し装置のスロープ基盤Ｂは、切込線１６を利用してその前がわ中央部分を分離することによって、正面凹部空間５を設けた外装箱Ａ内に収まるようにする。
【００３８】
そして、図６乃至図９に示すカプセル用簡易取出し装置の引出しボックスＣは、前述の引出しボックスＣと同じものが利用できる。尚、ポケット空間２２の底部には底板を設けても良い。
【００３９】
しかして、多数のカプセルを外装箱Ａ内上部に収納しておき、引出しボックスＣを後方に摺動させると、ポケット空間２２がカプセル落下用開口部１０下方に移動して、一個のカプセルがカプセル落下用開口部１０を通過してポケット空間２２内に収まる（図７参照）。
それから、引出しボックスＣを前方に摺動させると、ポケット空間２２内のカプセルはゲート用プレート１５下方を通過する。このとき、ポケット空間２２上部に一部が侵入しているような他のカプセルはゲート用プレート１５によってポケット空間２２内から押し出されるようになる。
そして、引出しボックスＣが前方に移動したときに、ポケット空間２２内のカプセルを掴んで取出す。（図８、図９参照）。
【００４０】
ところで、カプセル用簡易取出し装置の具体的構成、形状、寸法、材質、外装箱Ａの具体的構成、形状、寸法、材質、ボックス用開口部１の具体的形状、寸法、配設位置、基盤用掛止孔２の具体的構成、形状、寸法、配設位置、数、カプセル受部３の具体的構成、形状、寸法、材質、ボックス受部４の具体的構成、形状、寸法、材質、配設位置、正面凹部空間５の具体的構成、形状、寸法、配設位置、スロープ基盤Ｂの具体的構成、形状、寸法、材質、カプセル落下用開口部１０の具体的形状、寸法、配設位置、掛止フック１１の具体的構成、形状、寸法、配設位置、数、ガイドピン１２、１３の具体的構成、形状、寸法、材質、配設位置、数、撹拌棒用移動溝１４の具体的形状、寸法、配設位置、数、ゲート用プレート１５の具体的構成、形状、寸法、材質、切込線１６の具体的構成、形状、寸法、配設位置、引出しボックスＣの具体的構成、形状、寸法、材質、基体２０の具体的構成、形状、寸法、材質、摘み２１の具体的形状、寸法、配設位置、ポケット空間２２の具体的構成、形状、寸法、配設位置、ガイド溝２３、２４の具体的形状、寸法、配設位置、数、撹拌棒２５、２６の具体的構成、形状、寸法、配設位置、数、音発生器用保持部２７の具体的構成、配設位置、音発生器Ｄの具体的構成、形状、寸法等は図示例のものなどに限定されることなく適宜自由に設定、変更できるものである。
【産業上の利用可能性】
【００４１】
しかして、本考案のカプセル用簡易取出し装置は、玩具や抽選券等を夫々収納した多数のカプセルを外装箱Ａ内に収納しておけると共に、無作為にカプセルを一個宛確実に且つスムーズに取出すことが可能となり、各種イベント会場に於けるプレゼントや抽選会や、各種飲食店や商店に於けるプレゼントを行う際に好適なものとなる。
【符号の説明】
【００４２】
Ａ      外装箱
１      ボックス用開口部
２      基盤用掛止孔
３      カプセル受部
４      ボックス受部
５      正面凹部空間
Ｂ      スロープ基盤
１０    カプセル落下用開口部
１１    掛止フック
１２    ガイドピン
１３    ガイドピン
１４    撹拌棒用移動溝
１５    ゲート用プレート
１６    切込線
Ｃ      引出しボックス
２０    基体
２１    摘み
２２    ポケット空間
２３    ガイド溝
２４    ガイド溝
２５    撹拌棒
２６    撹拌棒
２７    音発生器用保持部
Ｄ      音発生器
【図１】
0003155311.tif 000003
【図２】
0003155311.tif 000004
【図３】
0003155311.tif 000005
【図４】
0003155311.tif 000006
【図５】
0003155311.tif 000007
【図６】
0003155311.tif 000008
【図７】
0003155311.tif 000009
【図８】
0003155311.tif 000010
【図９】
0003155311.tif 000011